(57)【要約】【課題】冬期や寒冷地においても、みみず飼育床をみみずの活動に最適な温度に調節し、みみずの活動環境の向上を図る。【解決手段】本発明は、周壁２０の区画内に敷きつめられたみみず飼育床３上に、みみずと生ごみ残渣４を投入し、投入された生ごみ残渣４をみみずに食させて処理するみみずを利用した生ごみ残渣処理装置である。前記みみず飼育床３を所定温度に調節してみみずが効率的に生ごみ残渣４を食処理することができる温度調節装置７を設けている。【選択図】図１
2015229145.tif 000002
【特許請求の範囲】
【請求項１】
周壁の区画内に敷きつめられたみみず飼育床上に、みみずと生ごみ残渣を投入し、投入された生ごみ残渣をみみずに食させて処理するみみずを利用した生ごみ残渣処理装置において、
前記みみず飼育床を所定温度に調節してみみずが効率的に生ごみ残渣を食処理することができる温度調節装置を設けたことを特徴とするみみずを利用した生ごみ残渣処理装置。
【請求項２】
周壁の区画内に、みみず飼育床を敷きつめるとともに、みみずを入れて飼育を行う状態と成し、このみみず飼育床上に生ごみ残渣を投入し、投入された生ごみ残渣をみみずに食させて生ごみを処理するように構成したみみずを利用した生ごみ残渣処理方法において、
前記みみず飼育床を温度調節装置で所定温度に調節できるように成し、前記生ごみ残渣をみみずが効率的に食処理することを特徴とするみみずを利用した生ごみ残渣処理方法。
【請求項３】
請求項１に記載のみみずを利用した生ごみ残渣処理装置において、前記みみず飼育床の底面に、発熱体を敷設し、この発熱体に電力を供給する発電用の太陽光発電装置を、みみず飼育床の近傍に備えたことを特徴とするみみずを利用した生ごみ残渣処理装置。
【請求項４】
請求項３に記載のみみずを利用した生ごみ残渣処理装置において、前記みみず飼育床の上方を覆う屋根を設け、この屋根上に前記太陽光発電装置を設置したことを特徴とするみみずを利用した生ごみ残渣処理装置。
【請求項５】
請求項１、３または４の何れか１項に記載のみみずを利用した生ごみ残渣処理装置において、前記みみず飼育床の近傍に生ごみ残渣を細かく裁断する裁断機を備えたことを特徴とするみみずを利用した生ごみ残渣処理装置。
【請求項６】
請求項５に記載のみみずを利用した生ごみ残渣処理装置において、前記裁断機は前記太陽光発電装置からの電力で稼動させることを特徴とするみみずを利用した生ごみ残渣処理装置。
【発明の詳細な説明】
【技術分野】
【０００１】
本発明は、みみずを利用した生ごみ残渣処理方法およびその残渣処理装置に関するものである。
【背景技術】
【０００２】
従来より、食品工場や飲食店等から発生する食品由来の廃棄物は、産業廃棄物処理業者に委託されて焼却処理あるいは廃棄処理されている。また、各家庭から出る生ごみも、地方自治体によって焼却処理されている場合がほとんどである。
【０００３】
このような生ごみ残渣を焼却する場合には燃料が必要になり、特に、水分を多量に含む場合には、より多くの燃料を必要とするものである。このため、近年、環境への影響を考慮して、微生物を利用して生ごみ残渣を分解し、堆肥化して再利用する試みが提案されている。
【０００４】
例えば、箱内に、みみず飼育床を敷きつめるとともに、みみずを入れて飼育を行う状態と成し、このみみず飼育床上に生ごみ残渣を投入し、投入された生ごみ残渣をみみずに食させて生ごみを処理するように構成した生ごみ処理方法が公知である（例えば、特許文献１参照）。
【０００５】
特許文献１に記載の生ごみ処理方法は、生ごみ残渣を餌としてみみずに供給し、みみずによって食させ、その排泄物によって地中微生物による生ごみの分解を促進させ、生ごみを堆肥化して植物の育成用土として再利用することができる。
【先行技術文献】
【特許文献】
【０００６】
【特許文献１】特開２０１３−６７５３４号公報
【発明の概要】
【発明が解決しようとする課題】
【０００７】
特許文献１に記載の生ごみ処理方法を実施して生ごみ残渣を処理する場合、外気温度が低くなると、外気に応じてみみず飼育床内の温度も低くなる。みみずは、みみず飼育床内の温度が低下して活動の環境が悪くなると、みみずの活動が不活発となる。みみずは、活動が不活発となると、生ごみを餌として食することが少なくなるため、生ごみ残渣の分解能力が低下するという問題がある。特に、冬期や寒冷地において、前記問題が顕著となる傾向にある。
【０００８】
このような生ごみ残渣の分解能力の低下は、植物の育成用土として生産する能力の低下を招来し、育成用土の安定供給がでないという問題もある。
【０００９】
本発明は、上記のような問題点を解決するためになされたものであり、冬期や寒冷地においても、みみず飼育床をみみずの活動に最適な温度に調節し、みみずの活動環境の向上を図るみみずを利用した生ごみ残渣処理方法およびその残渣処理装置を提供するものである。
【課題を解決するための手段】
【００１０】
本発明は、前記課題を解決するための手段を以下のように構成している。すなわち、本発明は、周壁の区画内に敷きつめられたみみず飼育床上に、みみずと生ごみ残渣を投入し、投入された生ごみ残渣をみみずに食させて処理するみみずを利用した生ごみ残渣処理装置において、前記みみず飼育床を所定温度に調節してみみずが効率的に生ごみ残渣を食処理することができる温度調節装置を設けたことを特徴とする。
【００１１】
本発明によれば、周壁の区画内に敷きつめられたみみず飼育床上に、生ごみ残渣を投入すれば、みみずは、生ごみ残渣を餌として食し、排泄物を排泄する。みみずの排泄物は、土壌微生物の活動を活発化させることから、土壌微生物による生ごみ等の分解を促進する。そして、分解された生ごみ残渣を再びみみずが食し、排泄物を排泄する。
【００１２】
以下、生ごみ残渣をみみず飼育床上に投入することを繰り返すことにより、生ごみ残渣は、みみずによって消化されるとともに、土壌微生物によって分解され、一定時間経過後、みみず糞土（みみずコンポスト）に転換される。
【００１３】
このようにして、みみずコンポストが得られたならば、周壁からみみずコンポストを取り出し、有機肥料や土壌改良材等として再利用する。
【００１４】
このようなみみずの活動は、みみず飼育床を温度調節装置で所定温度に調節して、みみずが活動し易い環境の下で行えるので、これまで焼却処理あるいは廃棄処理されてきた生ごみ残渣をみみずによって安定して且つ効率よく分解消化してみみずコンポストに転換し、有機肥料等として安定して生産することができる。
【００１５】
本発明は、周壁の区画内に、みみず飼育床を敷きつめるとともに、みみずを入れて飼育を行う状態と成し、このみみず飼育床上に生ごみ残渣を投入し、投入された生ごみ残渣をみみずに食させて生ごみ残渣を処理するように構成したみみずを利用した生ごみ残渣処理方法において、前記みみず飼育床を温度調節装置で所定温度に調節できるように成し、前記生ごみ残渣をみみずが効率的に食処理することを特徴とする。
【００１６】
かかるみみずを利用した生ごみ残渣処理方法は、前記みみずを利用した生ごみ残渣処理装置を使用して容易に実施することができる。
【００１７】
前記みみずを利用した生ごみ残渣処理装置において、前記みみず飼育床の底面に、発熱体を敷設し、この発熱体に電力を供給する発電用の太陽光発電装置を、みみず飼育床の近傍に備えたことを特徴とする。
【００１８】
かかる場合には、太陽光発電装置で発電された電力を、発熱体の電源として使用することが可能となり、ランニングコストの削減を図ることが可能となる。
【００１９】
前記みみずを利用した生ごみ残渣処理装置において、前記みみず飼育床の上方を覆う屋根を設け、この屋根上に前記太陽光発電装置を設置したことを特徴とする。かかる場合には、屋根を有効利用することができる。
【００２０】
前記みみずを利用した生ごみ残渣処理装置において、前記みみず飼育床の近傍に生ごみ残渣を細かく裁断する裁断機を備えたことを特徴とする。かかる場合には、予め細かく裁断した細かい生ごみ残渣を、みみずに供給することができるため、裁断しない生ごみ残渣を供給する場合に比し、みみずが生ごみ残渣を容易且つ迅速に食することが可能となり、みみずがさらに効率的に生ごみ残渣を食処理することができる。
【００２１】
前記みみずを利用した生ごみ残渣処理装置において、前記裁断機は前記太陽光発電装置からの電力で稼動させることを特徴とする。かかる場合には、太陽光発電装置で発電された電力を、裁断機の電源として使用することが可能となり、ランニングコストの削減を図ることが可能となる。
【発明の効果】
【００２２】
本発明は、みみず飼育床を所定温度に調節してみみずが効率的に生ごみ残渣を食処理することができる温度調節装置を設けたので、冬期や寒冷地においても、みみず飼育床をみみずの活動に最適な温度に調節し、みみずの活動環境の向上を図ることができる。この結果、生ごみ残渣をみみずを利用して分解消化してみみずコンポストに転換し、転換されたみみずコンポストを有機肥料等として安定して生産し再利用することができる。
【図面の簡単な説明】
【００２３】
【図１】本発明の実施形態に係る生ごみ残渣処理装置を備えたファームの一部断面を含む斜視図である。
【図２】本発明の実施形態に係る生ごみ残渣処理装置を備えたみみずファームの断面を示す概略正面図である。
【図３】本発明の実施形態に係る生ごみ残渣処理装置を備えたみみずファームの一部断面を含む概略斜視図である。
【図４】本発明の実施形態に係る温度調節装置を示す平面図である。
【図５】（ａ）〜（ｃ）は、本発明の実施形態に係るみみずファームにおける生ごみ残渣の投入要領を説明する工程図である。
【図６】（ａ）〜（ｆ）は、本発明の実施形態に係るみみずファームにおけるみみずコンポストの収穫要領を説明する工程図である。
【図７】本発明の他の実施形態に係るみみずファームの断面を示す概略正面図である。
【図８】本発明の他の実施形態に係る温度調節装置を示し、（ａ）は、みみず飼育床を２分割して温度調節する場合の平面図、（ｂ）は、みみず飼育床を３分割して温度調節する場合の平面図である。
【発明を実施するための形態】
【００２４】
以下、本発明の実施形態を図面に基づいて説明する。図１〜図６は、本発明のみみずを利用した生ごみ等の処理装置をみみずファーム１に採用した場合を例示する。
【００２５】
図１は、生ごみ残渣処理装置を備えたみみずファーム１の一部断面を含む斜視図、図２は、みみずファーム１の断面を示す概略正面図、図３は、みみずファーム１の一部断面を含む概略斜視図である。
【００２６】
みみずファーム１は、箱体２内にみみず飼育床３を敷きつめたもので、畑や田等の圃場Ｆに設置されている。
【００２７】
箱体２は、ＦＲＰ製等の周壁２１により上下面が開口する直方体形状に形成されている。すなわち、周壁２０は、短手方向（図１の左右方向のＸ方向）の前後外枠２１、２２と、長手方向（図１のＹ方向）の両側外枠２３、２４とから構成されている。
【００２８】
箱体２の上方は、みみずが光を嫌うことに対応して屋根６によって覆われている。屋根６は、箱体２の上面全体を覆い、左右方向の中央から左右外方向に向けて次第に低くなるように傾斜する屋根本体６１と、屋根本体６１を支持する複数本の支柱６２とを備えている。
【００２９】
箱体２の下面には、例えば目を編んでいない角目のプラスチックネット（トリカルネット）５が敷設されており、トリカルネット２５により、モグラ等が箱体２内に侵入するのを防止している。なお、トリカルネットは連続押出成形によって作り出されるオールプラスチック（ポリエチレン）製のネットをいう。
【００３０】
トリカルネット２５上には、１層目として脱臭作用を有する杉チップ、桧チップまたはおが屑等からなる木質砕片１０が敷きつめられている。
【００３１】
また、木質砕片１０の上には、２層目としてみみず飼育床３が敷きつめられている。みみず飼育床３は、シマミミズ等のみみずを養殖する腐葉土に木質砕片を混合して形成される。ここで、木質砕片は、間伐材を伐採した後、伐採現場に持ち込んだ小型の裁断機を利用して破砕し、チップ化したものである。
【００３２】
ただし、間伐材解消のために木質砕片を使用するものであり、必ずしも木質砕片を必要とするものではないし、木質砕片に代えて、放置竹林で伐採した竹を破砕した竹片や、製材所で発生するおが屑を利用しても構わない。
【００３３】
みみず飼育床３の上に、みみずと、みみずの餌として、例えば、家庭で発生する生ごみ残渣４とを投入する構成になっている。
【００３４】
箱体２の側面に接近して裁断機９が設置されている。すなわち、みみず飼育床３の近傍に生ごみ残渣４を細かく裁断する裁断機９を備えている。裁断機９は、例えば、機械的に生ごみ残渣４を裁断する方式のもので、高速回転刃により生ごみ残渣を細かく裁断することができる。このように、裁断機９で細かく裁断した生ごみ残渣（被裁断物）を、みみずに供給することにより、みみずが生ごみ残渣４を食べ易くしている。試験結果によると、生ごみ残渣を細かくした場合には、みみずの食処理効果が裁断しない場合と比較して、約３０％から５０％向上した。
【００３５】
木質砕片１０とみみず飼育床３との間（みみず飼育床３の底面）には、みみず飼育床３の温度を所定温度に調節し維持する温度調節装置７が敷設されている。温度調節装置７は、例えば、線状または帯状の電熱線ヒータや温熱シートからなる発熱体７０と、発熱体７０に電源配線７１を介して接続された制御部７２とを備えている。
【００３６】
発熱体７０は、例えば、複数本の電熱線ヒータが、所定間隔を有して略平行に配置されている。各電熱線ヒータ７０は、通常、ニクロム線で構成され、電流を流すことで発熱するものが採用可能である。また、各電熱線ヒータ７０の端部は、電源配線７１に接続されており、また、温度制御のための制御部７２に接続されている。
【００３７】
制御部７２は、みみず飼育床３内に設けられた温度センサ７４により、みみず飼育床３内の温度を測定して、その温度が設定温度範囲内（所定温度）となるように制御する加熱制御装置である。加熱制御装置７２は、各電熱線ヒータ７０の通電を間歇的または連続的に行い、また、各電熱線ヒータ７０の通電量（電圧、電流）を調節して、各電熱線ヒータ７０を所定温度に加熱制御することができる。
【００３８】
この所定温度は、みみず飼育床３の目標温度を、例えば１０〜３０℃と定めれば、それを目途に決めることができる。みみずを使用した場合、１０〜２５℃が好適な温度である。好ましくは、１２〜２１℃が好適な温度である。みみず飼育床３の温度が０℃以下になったり、３０℃を越えないようにすべきである。
【００３９】
屋根６の上面には、太陽光発電装置８が設置されている。すなわち、発熱体７０に電力を供給する発電用の太陽光発電装置８を、みみず飼育床３の近傍に備えている。この太陽光発電装置８は、屋根本体６１に敷設された複数枚の太陽電池モジュール８０と、パワーコンディショナ８１等を備えている。太陽電池モジュール８０とは、光起電力効果を利用し、光エネルギーを電力に変換する電力機器である太陽電池（セル）を複数枚並べて相互接続し、パネル状に構成したものである。
【００４０】
パワーコンディショナ８１とは、太陽電池で発電された直流電力を交流電力に変換し、みみずファーム１で使用する機器の電源や商用電源系統に連係する装置である。すなわち、太陽光発電装置８で発電された電力は、パワーコンディショナ８１および分配器８２を介して、温度調節装置７および裁断機９等の機器を稼動させる電源として利用することができる。さらに、発電電力が消費電力を上回った場合には、電力会社に送電して、電気を買い取ってもらう（売電する）ことも可能である。
【００４１】
反対に、曇りや雨の日など発電した電力では機器の電源として不足する場合や、夜間などは、電力会社の電気を使用する。なお、バッテリー（図示省略）を設けて、日中に蓄電しておいた電力を、夜間等に使用するように構成してもよい。
【００４２】
屋根本体６１の下面側には、下方に向けて水分を適宜散水する散水ノズル４０が設けられている。
【００４３】
本実施形態に係るみみずファーム１は、以上の構成からなり、次に、みみずファーム１を使用して、生ごみ残渣処理方法について説明する。
【００４４】
先ず、例えば、長さ５メートルの前後外枠２１、２２と、長さ８メートルの両側外枠２３、２４を設置して周壁２０（箱体２）を形成する。なお、前後外枠２１、２２および両側外枠２３、２４の長さは、任意に設定可能である。
【００４５】
さらに、周壁２０で区画された地面にトリカルネット２５を敷設して、モグラ対策を施す。トリカルネット２５上に木質砕片１０を敷きつめ、その上に土中暖房用の電熱線ヒータ７０を複数条に敷設する（図４参照）。
【００４６】
さらに、各電熱線ヒータ７０が敷設された木質砕片１０上に、みみず飼育床３を敷きつめて、各電熱線ヒータ７０を埋設する。また、各電熱線ヒータ７０と加熱制御装置７２とを電源配線７１で接続する。
【００４７】
箱体２内にみみず飼育床３を投入して敷きつめたならば、みみず飼育床３上にみみずとみみずの餌として生ごみ残渣４とを投入する。生ごみ残渣４としては、その分解を促進する観点からは裁断して投入することが好ましい。そこで、生ごみ残渣４を裁断機９で予め細かく裁断し、裁断した生ごみ残渣４を投入する。
【００４８】
この場合、生ごみ残渣４は、みみず飼育床３上に順次場所を変えて投入される。例えば、みみずは、１日に自分の体重と同じ量の有機物を食べると言われていることに対応して、箱体２の内部を７つに分割し、それぞれ分割された区画のみみず飼育床３上に曜日毎に、すなわち、１週間おきに所要量の生ごみ残渣４を投入する（なお、図５においては、説明を容易にするため、みみずファーム１を３分割して説明している。）。
【００４９】
生ごみ残渣４がみみず飼育床３上に投入されると、みみずは、生ごみ残渣４を餌として消化し、排泄物を排泄する。みみずの排泄物は、土壌微生物の活動を活発化させることから、生ごみ残渣４及びみみず飼育床３を構成する腐葉土や木質砕片等の土壌微生物による分解を促進する。そして、分解された生ごみ残渣４及びみみず飼育床３の腐葉土等を再びみみずが消化して排泄することを繰り返して、生ごみ残渣４及びみみず飼育床３の腐葉土等を徐々に分解する。
【００５０】
以下、定期的に生ごみ残渣４をみみず飼育床３上に投入することを繰り返すことにより、生ごみ残渣４及びみみず飼育床３の腐葉土等をみみずが消化するとともに、土壌微生物が分解し、数カ月後には、みみず飼育床３がみみず糞土（みみずコンポスト）５（図６（ａ）参照）に転換される。
【００５１】
一方、生ごみ残渣４をみみずコンポスト５に転換する過程において、生ごみ残渣４などの有機物を分解することで発生する水分やみみずの尿は、トリカルネット２５を通して圃場Ｆの土壌に流れ込む。このため、箱体２の底部に水（液肥）がたまり、みみずが溺れて死ぬことを防止できる。
【００５２】
みみず飼育床３の温度が０℃以下になったり、３０℃を越えないように考慮すべきである。具体的には、みみずは、温度影響として特に冬場等の寒冷期は極端に動きが悪くなるので、温度管理を考慮する必要がある。みみずを使用したみみずファーム１の場合、みみず飼育床３の温度は１０〜２５℃が好ましい。さらに、みみず飼育床３の温度は１２〜２１℃が好適である。
【００５３】
温度調節装置７は、各電熱線ヒータ７０を加熱して、みみず飼育床３を所定温度に維持するように温度管理を行うことができる。この結果、みみず飼育床３内に、みみずが活発に活動できる環境をつくることができ、気温が低い寒冷地であっても、みみずの活動を活発化させることができる。屋根６の支柱６２にシートを取付けて箱体２を外気と遮断した状態で温度調節装置７を使用するのが望ましい。
【００５４】
また、夏場等の外気が高温となる場合には、３０℃を越えないようにする。土の温度を所定温度に維持すべく、散水ノズル４０で生ごみ残渣４およびみみず飼育床３に水分を散水して、みみずの活動を活発化させることができる。なお、外気が高温となる場合には、箱体２内部（みみず飼育床３）の風通しを良好にしたり、屋根６の支柱６２にシートを取付けて箱体２を外気と遮断した状態で冷房装置により、シート内部の空間を冷房することも可能である。
【００５５】
次に、みみずコンポスト５を収穫する場合について説明する。箱体２内のみみずコンポスト５を収穫するには、箱体２の内部を２つに分割し、その一半部のみに生ごみ残渣４を供給する（図６（ｂ）参照）。これにより、箱体２の他半部のみみずは、生ごみ残渣４のある一半部側に移動することから、箱体２の他半部側のみみずコンポスト５を収穫することができる（図６（ｃ）参照）。
【００５６】
次いで、箱体２のみみずコンポスト５が取り出された他半部に再びみみず飼育床３を敷きつめた後（図６（ｄ）参照）、再び敷きつめたみみず飼育床３側、すなわち、箱体２の他半部側のみに生ごみ残渣４を投入し、箱体２の一半部側のみみずを他半部側に移動させる（図６（ｅ）参照）。
【００５７】
そして、同様に、箱体２の一半部側のみみずコンポスト５を収穫した後（図６（ｆ）参照）、みみずコンポスト５が取り出された箱体２の一半部側をみみず飼育床３で敷きつめ、再び曜日ごとに生ごみ残渣４を各分割されたみみず飼育床３上に順に投入すればよい。
【００５８】
以下、前述したように、箱体２の内部に再び敷きつめられたみみず飼育床３に生ごみ残渣４を定期的に供給することを繰り返してみみずコンポスト５に転換すればよい。
【００５９】
このようにしてみみずコンポスト５が得られたならば、圃場Ｆに有機肥料や土壌改良材、あるいは、消臭材として再利用することができる。みみずの活動は、みみず飼育床３を温度調節装置７で所定温度に調節して、みみずが活動し易い環境の下で行えるので、生ごみ残渣をみみずによって安定して且つ効率よく分解消化してみみずコンポストに転換し、有機肥料等として安定して生産することができる。
【００６０】
この結果、生ごみ残渣４を焼却処理又は廃棄処理することなく、最終的に有機肥料等として圃場Ｆに還元して安全な穀物や野菜等の農作物を生産することができる。しかも、みみずファーム１において増殖したみみずは、家禽（鶏、ウズラ等）の飼料としても提供することが可能である。以上のように、みみずファーム１と圃場Ｆとの一体化を図ることにより、耕作放棄地の再利用に貢献することができるようになる。
【００６１】
また、太陽光発電装置８で発電された電力を、温度調節装置７および裁断機９等の機器を稼動させる電源として利用することができるので、ランニングコストの削減を図ることが可能となる。
【００６２】
本発明は前記実施形態に限定されるものではない。図７は、他の実施形態を示すみみずファーム１の断面を示す概略正面図である。図７に示すみみずファーム１は、圃場Ｆの地面に、架台８５を介して太陽光発電装置８を設置した場合を例示する。なお、図２に示す実施形態と同一部材は同一符号を付して、それぞれの部材の説明は省略する。
【００６３】
このように、太陽光発電装置８を圃場Ｆの地面に設置するので、太陽光発電装置８の大型化が可能となり、所定能力以上に発電する場合には、発電電力の全部を電力会社に売電することも可能となる。
【００６４】
なお、図７に仮想線で示すように、屋根６の上面にも太陽光発電装置８を設置することも可能である。かかる場合には、屋根６の太陽光発電装置８で発電された電力をみみずファーム１の器機の電源として利用し、圃場Ｆの地面に設置された太陽光発電装置８で発電された電力を売電することができる。
【００６５】
また、温度調節装置７は、みみず飼育床３を複数に区分してそれぞれ所定温度に制御することが可能である。図８（ａ）は２区分に加熱制御した場合を示す。すなわち、制御部７２は、発熱体７０Ａと７０Ｂとをそれぞれ温度制御する。図８（ｂ）は３区分に加熱制御した場合を示す。すなわち、制御部７２は、発熱体７０Ａ、７０Ｂおよび７０Ｃとをそれぞれ温度制御する。
【００６６】
これにより、みみずが移動した部分のみみず飼育床３を効率よく加熱することが可能となる。例えば、みみずが発熱体７０Ａの対応する部分に移動した場合には、発熱体７０Ａをみみずが容易に活動する所定温度に制御し、その他の部分（発熱体７０Ｂおよび７０Ｃが対応する部分）は、発熱体７０Ａの対応する部分よりも低温に制御するか、あるいは加熱しないようにする。
【００６７】
また、温度調節装置７は、発熱体７０をシート状に形成した温熱シ−トを採用する場合には、温熱シ−トをみみず飼育床３の一部に配置してもよく、あるいは、発熱体７０の全面に配置してもよい。
【００６８】
温度調節装置７は、みみず飼育床３内に設けられた温度センサ７４により、みみず飼育床３内の温度を測定して、所定温度となるように制御する場合について例示したが、温度センサ７４を設けることなく、作業者が手動で制御部７２を操作して温度調節することも可能である。
【００６９】
前述した実施形態においては、家庭用の生ごみ残渣をみみずコンポストに転換する場合を例示したが、食品工場から発生する食品由来の廃棄物や、農産物の生産過程及び収穫過程で発生する廃棄野菜等を生ごみ残渣としてみみずの餌に利用し、みみずコンポストを得るようにしてもよい。
【符号の説明】
【００７０】
１          みみずファーム
２          箱体
３          みみず飼育床
４          生ごみ
５          みみずコンポスト（みみず糞土）
６          屋根
７          温度調節装置
８          太陽光発電装置
９          裁断機
１０        木質砕片
２０        周壁
２１        前外枠
２２        後外枠
２３        両側外枠
２４        両側外枠
２５        トリカルネット
７０        発熱体（電熱線ヒータ）
７１        電源配線
７２        制御部（加熱制御装置）
７４        温度センサ
８０        太陽電池モジュール
８１        パワーコンディショナ
Ｆ          圃場
【図１】
2015229145.tif 000003
【図２】
2015229145.tif 000004
【図３】
2015229145.tif 000005
【図４】
2015229145.tif 000006
【図５】
2015229145.tif 000007
【図６】
2015229145.tif 000008
【図７】
2015229145.tif 000009
【図８】
2015229145.tif 000010